(57)【要約】【課題】発光面を大きくしても、コンパクト化が図れる自動車の照明装置を提供すること。【解決手段】自動車の照明装置１において、プリント基板１２に順次複数の照明灯１１を一列に並設して、各照明灯１１に対応して重ねた状態で導光板２Ａ〜２Ｅをそれぞれ配置し、長さが異なる各導光板２Ａ〜２Ｅを順次長さが長く又は短くなるように重ねて配置するものであって、最も短い前記導光板２Ａの裏面２Ａ１には、光拡散ができるように光拡散処理を施すか又は光拡散層を形成して第１点灯表示部を形成し、順次重ねた際に最も短い導光板２Ａ以外の前記導光板２Ｂ〜２Ｅは、順次その差分だけ長くなった状態で配置され、その長い前記差分の裏面２Ｂ１〜２Ｅ１に、光拡散ができるように光拡散処理を施すか又は光拡散層を形成して第２点灯表示部を形成する。【選択図】図２
2020155384.tif 000002
【特許請求の範囲】
【請求項１】
自動車の外装品や内装品に使用される自動車の照明装置において、プリント基板に順次複数の照明灯を一列に並設して、各照明灯に対応して重ねた状態で透明の導光板をそれぞれ配置し、
長さが異なる各導光板を順次長さが長く又は短くなるように重ねて配置するものであって、
最も短い前記導光板の裏面に、光拡散ができるように光拡散処理を施すか又は光拡散層を形成して、最も短い前記導光板に第１点灯表示部を形成し、
順次重ねた際に最も短い前記導光板以外の前記導光板は、順次その差分だけ長くなった状態で配置され、その長い前記差分の裏面に、光拡散ができるように光拡散処理を施すか又は光拡散層を形成して、前記導光板以外の前記導光板に第２点灯表示部を形成した
ことを特徴とする自動車の照明装置。
【請求項２】
自動車の外装品や内装品に使用される自動車の照明装置において、プリント基板に順次複数の照明灯を一列に並設して、各照明灯に対応して重ねた状態で透明の導光板をそれぞれ配置し、
各導光板の裏面に光拡散ができるように光拡散処理を施すか又は光拡散層を形成して、各導光板に点灯表示部を形成するが、この各導光板を重ねた状態で配置した際に各導光板の各点灯表示部は互いに重なることがないように且つ連続した状態に配置する
ことを特徴とする自動車の照明装置。
【請求項３】
前記複数の導光板を重ね合わせた状態を保持する保持部材を設けたことを特徴とする請求項１又は２に記載の自動車の照明装置。
【発明の詳細な説明】
【技術分野】
【０００１】
本発明は、自動車の外装品や内装品に使用される自動車の照明装置に関する。
【背景技術】
【０００２】
この種の照明装置は、照明源として複数のＬＥＤを用いて、各ＬＥＤからの光を対応する導光体に導くようにしたものが提案されている（特許文献１参照。）。
【先行技術文献】
【特許文献】
【０００３】
【特許文献１】特開２００１−９３３０５号公報
【発明の概要】
【発明が解決しようとする課題】
【０００４】
しかしながら、特許文献１に示す照明装置にあっては、各導光体は平面視概略平行四辺形であり、発光面を上面にして隣設配置することにより、全体としてライン状の発光面を形成しているが、隣設する導光体において光の干渉を防止するために、薄い金属（アルミニウム等）から成る層を設けていた。また、各発光面の数を多く且つ大きくするためには、このような構造では大型化するという問題点があり、コンパクト化を図るのは困難であった。
【０００５】
そこで、本発明は発光面を大きくしても、コンパクト化が図れる自動車の照明装置を提供することを目的とする。
【課題を解決するための手段】
【０００６】
このため第１の発明は、自動車の外装品や内装品に使用される自動車の照明装置において、プリント基板に順次複数の照明灯を一列に並設して、各照明灯に対応して重ねた状態で透明の導光板をそれぞれ配置し、
長さが異なる各導光板を順次長さが長く又は短くなるように重ねて配置するものであって、
最も短い前記導光板の裏面に、光拡散ができるように光拡散処理を施すか又は光拡散層を形成して、最も短い前記導光板に第１点灯表示部を形成し、
順次重ねた際に最も短い前記導光板以外の前記導光板は、順次その差分だけ長くなった状態で配置され、その長い前記差分の裏面に、光拡散ができるように光拡散処理を施すか又は光拡散層を形成して、前記導光板以外の前記導光板に第２点灯表示部を形成した
ことを特徴とする。
【０００７】
また第２の発明は、自動車の外装品や内装品に使用される自動車の照明装置において、プリント基板に順次複数の照明灯を一列に並設して、各照明灯に対応して重ねた状態で透明の導光板をそれぞれ配置し、
各導光板の裏面に光拡散ができるように光拡散処理を施すか又は光拡散層を形成して、各導光板に点灯表示部を形成するが、この各導光板を重ねた状態で配置した際に各導光板の各点灯表示部は互いに重なることがないように且つ連続した状態に配置する
ことを特徴とする。
【０００８】
第３の発明は、第１又は第２の発明において、前記複数の導光板を重ね合わせた状態を保持する保持部材を設けたことを特徴とする。
【発明の効果】
【０００９】
本発明によれば、点灯表示部の発光面を大きくすることができ、また大きくしても、導光板は薄いので、コンパクト化が図れる自動車の照明装置を提供することができる。
【図面の簡単な説明】
【００１０】
【図１】本発明の第１の実施の形態に係る照明装置の平面図である。
【図２】前記照明装置１を縦断面した正面図である図１のＸ−Ｘ断面図である。
【図３】図２の要部断面図である。
【図４】本発明の第２の実施の形態である前記照明装置を縦断面した正面図である。
【図５】第３の実施の形態に係る前記照明装置の平面図である。
【図６】第４の実施の形態に係る前記照明装置の正面図である。
【図７】第５の実施の形態に係る前記照明装置の正面図である。
【発明を実施するための形態】
【００１１】
以下、本発明に係る自動車の外装品や内装品に使用される照明装置１の第１の実施の形態について、図１〜図３に基づいて説明する。図１は本発明の第１の実施の形態に係る前記照明装置１の平面図、図２は前記照明装置１を縦断面した正面図である図１のＸ−Ｘ断面図、図３は図２の要部断面図であり、以下説明する。
【００１２】
２は複数の薄い、例えば厚さが１．０ｍｍの平板状を呈し、例えばアクリル樹脂、ポリカーボネート樹脂等の透明な材料で作製された導光板で、複数枚を重ね合わせた状態で保持部材３に保持させるが、本実施形態では長さの異なる、例えば５枚の導光板２Ａ〜２Ｅを使用する。即ち、最も下側に配置される導光板２Ａは長手方向が最も短く、順に長い導光板２Ｂ〜２Ｅが上方から重なるように配置される。これらの導光板２Ａ〜２Ｅは概ね平面視長方形状であるが、点灯表示部としては使用しない各導光板２Ａ〜２Ｅの各左端部２Ｓは途中から先細りの台形状を呈するが、この形状に限らない。
【００１３】
なお、前記導光板２Ａ〜２Ｅは、本実施形態では平面視細長い長方形状としたが、これに限らず、リング状、円弧状、平行四辺形状などの種々の形状が考えられる。
【００１４】
前記保持部材３は、概ね各導光板２Ａ〜２Ｅの各左端部２Ｓが重ね合わないで離れた状態で挿入される挿入孔４が開設された挿入保持部５と、前記導光板２Ａ〜２Ｅの短手方向への移動を規制する一対の規制部６と、前記導光板２Ａ〜２Ｅを載置して支承する支承部７と、前記一対の規制部６を連結するための連結部８とから構成される。これらの前記挿入保持部５、前記一対の規制部６、前記支承部７及び前記連結部８は、不透明の硬質の合成樹脂材料で一体化して、前記保持部材３を構成している。
【００１５】
前記保持部材３について詳述すると、先ず前記挿入保持部５は縦長の直方体形状を呈し、上下方向に一列に所定間隔を存して横長の前記挿入孔４が５個開設されており、前記各挿入孔４内に前記導光板２Ａ〜２Ｅの前記左端部２Ｓが重ね合わないで離れた状態でそれぞれ挿入される。
【００１６】
前記一対の規制部６は、その相互間の間隔が概ね前記導光板２Ａ〜２Ｅの短手方向の長さと同じ長さであって、一対の規制部６の対向する面の最上部には対向するように複数の押圧規制部６Ａが向い合うように突設されている。従って、前記導光板２Ａ〜２Ｅが上下に重ね合った状態で前記支承部７上に載置した状態で、前記導光板２Ａ〜２Ｅを前記押圧規制部６Ａが上方から前記支承部７に押圧することとなり、前記導光板２Ａ〜２Ｅの短手方向への移動を規制している。
【００１７】
前記導光板２Ａは長手方向が最も短く、順に上方に位置する前記導光板２Ｂ〜２Ｅは順に長いものである。このため、同じ厚さである前記支承部７はこれらの重ね合った前記導光板２Ａ〜２Ｅの下の面一に併せて、順に段差７Ｓ１、７Ｓ２、７Ｓ３、７Ｓ４を有するように形成されて、前記支承部７の上面が前記導光板２Ａ〜２Ｅの下面と同じレベルとなって、前記支承部７は確実に前記導光板２Ａ〜２Ｅを支承することになる。即ち、前記支承部７の第１部分７Ａ〜第５部分７Ｅの上面が前記導光板２Ａ〜２Ｅの下面に接して、前記支承部７は確実に前記導光板２Ａ〜２Ｅを支承することになる。
【００１８】
前記連結部８は縦長の平板状であり、直交するように前記一対の規制部６が連結されている。この一対の規制部６と前記連結部８との連結している部分には最上部の前記導光板２Ｅの上方への移動を規制する規制部分８Ａが形成されている。
【００１９】
なお、最も短い前記導光板２Ａの裏面２Ａ１（正確には、前記導光板２Ａの左端部２Ｓを除く前記裏面２Ａ１の長手方向の図２の右半分程度の範囲。）には光拡散ができるように光拡散処理を施すか又は光拡散層を形成して、最も短い前記導光板２Ａに第１点灯表示部が形成され、順次重ねた際に最も短い前記導光板２Ａ以外の前記導光板２Ｂ〜２Ｅは、順次その差分だけ長くなった状態で配置され、その長い前記差分の裏面２Ｂ１〜２Ｅ１に、光拡散ができるように光拡散処理を施すか又は光拡散層を形成して、前記導光板２Ｂ〜２Ｅにそれぞれ第２点灯表示部が形成されている。
【００２０】
なお、この各導光板２Ａ〜２Ｅを重ねた状態で配置した際に、各導光板２Ａ〜２Ｅの前記第１点灯表示部及び各第２点灯表示部は互いに重なることがないように且つ平面視した場合に連続した状態に配置されることとなる。
【００２１】
光拡散処理を施すか又は光拡散層を形成する方法、構造については、その手法は問わないが、本実施形態では、図３に示すように、光拡散処理をするために複数個の凹部(溝)９が形成されて光拡散部を構成している。
【００２２】
なお、光拡散処理を施すために、前述のように、本実施形態では前記導光板２Ａ〜２Ｅの裏面２Ａ１〜２Ｅ１に複数個の前記凹部９を形成したが、これに限らず、複数個の凸部を形成してもよく、また光拡散層を形成するために印刷により凸部を形成してもよい。
【００２３】
次に、１０は有底中空状を呈する基板取付け部材で、図２の左部の一面のみ開口１０Ａを形成しており、この開口１０Ａに対向するように右端部には取付け壁１０Ｂが形成され、またこの取付け壁１０Ｂの左部の上下部には奥側と手前側には計４個の取付け部１０Ｃが設けられているが、この取付け部１０Ｃは前記取付け壁１０Ｂばかりか前記基板取付け部材１０を形成する内壁面とも一体に形成されている。更には、前記取付け壁１０Ｂは右端部より僅か前記開口１０Ａ寄りの位置に形成されるために、この前記取付け壁１０Ｂと前記基板取付け部材１０上下左右の壁とにより取付け凹部１０Ｄが形成される。
【００２４】
従って、ＬＥＤなどの照明灯１１が上下方向に一列に所定間隔を存して５個搭載されたプリント基板１２を、前記開口１０Ａを介して前記基板取付け部材１０の空間Ｓ内に入れて、前記取付け部１０Ｃに当接するまで移動させ、取付けネジ１３を介して前記取付け部１０Ｃに前記プリント基板１２を固定する。この場合、前記各照明灯１１に、前記取付け壁１０Ｂに上下方向に所定間隔を存して一列に５個開設した開口１０Ｅがそれぞれ面することになる。
【００２５】
一方、前記取付け凹部１０Ｄには前記保持部材３の前記挿入保持部５が収納された状態で、２本の取付けネジ１４により上下部において前記取付け壁１０Ｂに固定される。この場合、前記挿入保持部５が前記取付け壁１０Ｂに固定された状態において、前記導光板２Ａ〜２Ｅは前記取付け壁１０Ｂの各開口１０Ｅを介して対応する前記照明灯１１に面することになる。
【００２６】
従って、前記プリント基板１２に搭載された制御装置の制御により、任意の照明灯１１を点灯させることにより、例えば最下部の照明灯１１から順に点灯させると、先ず最下部の前記導光板２Ａ内部に光が導かれて、前記裏面２Ａ１の前記光拡散部により乱反射して拡散されて他の前記導光板２Ｂ〜２Ｅを介して上方へ放出され、次いで下から２番目の前記照明灯１１が点灯すると前記導光板２Ｂ内部に光が導かれて、前記裏面２Ｂ１の前記光拡散部により乱反射して拡散されて他の前記導光板２Ｃ〜２Ｅを介して上方へ放出され、次いで下から３番目の前記照明灯１１が点灯すると前記導光板２Ｃ内部に光が導かれて、前記裏面２Ｃ１の前記光拡散部により乱反射して拡散されて他の前記導光板２Ｄ及びＥを介して上方へ放出され、次いで下から４番目の前記照明灯１１が点灯すると前記導光板２Ｄ内部に光が導かれて、前記裏面２Ｄ１の前記光拡散部により乱反射して拡散されて他の前記導光板２Ｅを介して上方へ放出され、最後に最上部の前記照明灯１１が点灯すると前記導光板２Ｅ内部に光が導かれて、前記裏面２Ｅ１の前記光拡散部により乱反射して拡散されて上方へ放出される。このため、左から順に長くなるような連続した照明となる。
【００２７】
また、最下部の前記照明灯１１から点灯した後に消灯させ、次いで下から２番目の前記照明灯１１を点灯した後に消灯させるというように、順次下の前記照明灯１１から上の前記照明灯１１を点灯した後に消灯させると、左から順に照明部分が右へと流れるような照明となる。
【００２８】
更には、照明させたい箇所のみ照明させる場合には、照明させたい箇所に対応する前記光拡散部に対応する前記照明灯１１を点灯させるように、前記制御装置が制御すればよい。以上のように、照明のパターンの例は種々考えられ、前記制御装置が各照明灯１１を点灯・消灯を制御することにより、所望の照明パターンでの照明を行うことができる。この場合、点灯については、前記各光拡散部で各照明灯１１からの光を拡散することにより前記導光板２Ａの前記第１点灯表示部や、前記導光板２Ｂ〜２Ｅの前記第２点灯表示部により行うことができる。
【００２９】
なお、前記導光板２Ａ〜２Ｅの前記各光拡散部で各照明灯１１からの照明光を拡散して上方へ放出するが、前記導光板２Ａ〜２Ｅを支承する前記支承部７を照明光を反射する反射板で構成することにより、より多く上方へ放出することができる。また、前記支承部７と最下部の前記導光板との間に反射板を介在させてもよく、この場合も同様な効果が得られる。
【００３０】
次に、自動車の照明装置１の第２の実施の形態について、この第２の実施の形態である前記照明装置１を縦断面した正面図である図４に基づいて説明するが、前述した第１の実施形態と異なる構造について重点的に説明する。先ず、第１の実施形態は各照明灯１１に対応して長さの異なる前記導光板２Ａ〜２Ｅを重ねた状態で配置するものであったが、前記導光板２が全て同じ長さのものを使用する点で異なる。
【００３１】
また、前記導光板２を全て同じ長さのものを使用するため、前記保持部材３の支承部１７は段差が無い平面状を呈している。そして、最下部の前記導光板２の裏面の範囲Ｒ１には光拡散ができるように光拡散処理を施すか又は光拡散層を形成し、下から２番目の前記導光板２の裏面の範囲Ｒ２に光拡散処理を施すか又は光拡散層を形成し、下から３番目の前記導光板２の裏面の範囲Ｒ３に光拡散処理を施すか又は光拡散層を形成し、下から４番目の前記導光板２の裏面の範囲Ｒ４に光拡散処理を施すか又は光拡散層を形成し、最上部の前記導光板２の裏面の範囲Ｒ５に光拡散処理を施すか又は光拡散層を形成することにより光拡散部を形成し、各導光板２に点灯表示部が形成される。
【００３２】
なお、この各導光板２を重ねた状態で配置した際に、各導光板２の前記点灯表示部は互いに重なることがないように且つ連続した状態に配置されることとなる。
【００３３】
なお、前記導光板２の前記各光拡散部で各照明灯１１からの照明光を拡散して上方へ放出するが、前記導光板を支承する前記支承部１７を照明光を反射する反射板で構成することにより、より多く上方へ放出することができる。また、前記支承部１７と最下部の前記導光板との間に反射板を介在させてもよく、この場合も同様な効果が得られる。
【００３４】
このように、各導光板２に光拡散処理を施すか又は光拡散層を形成し、前述したように、前記制御装置が各照明灯１１を点灯・消灯を制御することにより、所望の照明パターンでの照明を行うことができる。この場合、点灯については、前記各光拡散部で各照明灯１１からの光を拡散することにより前記各導光板２の前記点灯表示部により行うことができる。
【００３５】
次に、自動車の照明装置１の第３の実施の形態について、この第３の実施の形態に係る前記照明装置１の平面図である図５に基づいて説明するが、前述した第１の実施形態と異なる構造について重点的に説明する。先ず、第１及び第の実施形態で示した前記基板取付け部材１０及び前記保持部材の前記挿入保持部５は同一構造であり、説明を簡略化するために図示しないで省略するものとして、以下説明する。
【００３６】
先ず、各照明灯１１に対応した前記導光板２は全て同じ長さのものを使用する。そして、前記照明灯１１は６個使用し、各照明灯１１に対応して前記導光板２も６枚使用して、重ね合わせる。
【００３７】
これらの導光板２は全て同じ形状であるが、第１及び第２の実施形態で示す前記導光板２の構造と異なる点は、この第３の実施形態の導光板２は外方に突出した複数の突出部２Ｔが奥側と手前側とが互い違いになるように形成され、この突出部２Ｔには円形の取付孔２ＴＴが開設される。
【００３８】
そして、６枚の前記導光板２を重ね合わせた状態にして、上方からボルトやネジ等を前記突出部２Ｔの前記取付孔２ＴＴ内に挿入（螺合）して、更にボルトが必要な場合にはナットを嵌めて、これら６枚の前記導光板２を重ね合わせた状態で固定保持する。従って、６枚の前記導光板２を重ね合わせた状態を保持する前記保持部材として、ボルト（必要な場合にナット含む）やネジ等と前記取付孔２ＴＴを有する前記突出部２Ｔとが構成することとなる。
【００３９】
この場合、図示しないが、第２の実施形態の前記支承部１７に取付孔を有する突出部を形成して、６枚の前記導光板２と前記支承部１７とを重ね合わせた状態で、前述したようなネジ等の保持部材で固定保持するようにしてもよい。この場合、前記各導光板２の前記各光拡散部で各照明灯１１からの照明光を拡散して上方へ放出するが、前記導光板２を支承する前記支承部１７を照明光を反射する反射板で構成することにより、より多く上方へ放出することができる。また、前記導光板２を支承する前記支承部１７と最下部の前記導光板２との間に反射板を介在させてもよく、この場合も同様な効果が得られる。
【００４０】
なお、最下部の前記導光板２の裏面の範囲Ｒ６には光拡散ができるように光拡散処理を施すか又は光拡散層を形成し、下から２番目の前記導光板２の裏面の範囲Ｒ７に光拡散処理を施すか又は光拡散層を形成し、下から３番目の前記導光板２の裏面の範囲Ｒ８に光拡散処理を施すか又は光拡散層を形成し、下から４番目の前記導光板２の裏面の範囲Ｒ９に光拡散処理を施すか又は光拡散層を形成し、下から５番目の前記導光板２の裏面の範囲Ｒ１０に光拡散処理を施すか又は光拡散層を形成し、最上部の前記導光板２の裏面の範囲Ｒ１１に光拡散処理を施すか又は光拡散層を形成することにより光拡散部を形成し、各導光板２に点灯表示部が形成される。
【００４１】
従って、この各導光板２を重ねた状態で配置した際に、各導光板２の前記点灯表示部は互いに重なることがないように且つ連続した状態に配置されることとなる。
【００４２】
このように、各導光板２に光拡散処理を施すか又は光拡散層を形成し、前記制御装置が各照明灯１１を点灯・消灯を制御することにより、所望の照明パターンでの照明を行うことができる。この場合、点灯については、前記各光拡散部で各照明灯１１からの光を拡散することにより前記各導光板２の前記点灯表示部により行うことができる。
【００４３】
次に、自動車の照明装置１の第４の実施の形態について、この第４の実施の形態に係る前記照明装置１の平面図である図６に基づいて説明するが、前述した第１の実施形態と異なる構造について重点的に説明する。先ず、第１及び第の実施形態で示した前記基板取付け部材１０及び前記保持部材の前記挿入保持部５は同一構造であり、説明を簡略化するために図示しないで省略するものとして、以下説明する。
【００４４】
先ず、この第４の実施形態において、各照明灯１１に対応した前記導光板２は全て同じ長さのもので、前記照明灯１１は６個使用し、各照明灯１１に対応して前記導光板２も６枚使用して、重ね合わせる。
【００４５】
なお、最下部の前記導光板２の裏面の範囲Ｒ１２には光拡散ができるように光拡散処理を施すか又は光拡散層を形成し、下から２番目の前記導光板２の裏面の範囲Ｒ１３に光拡散処理を施すか又は光拡散層を形成し、下から３番目の前記導光板２の裏面の範囲Ｒ１４に光拡散処理を施すか又は光拡散層を形成し、下から４番目の前記導光板２の裏面の範囲Ｒ１５に光拡散処理を施すか又は光拡散層を形成し、下から５番目の前記導光板２の裏面の範囲Ｒ１６に光拡散処理を施すか又は光拡散層を形成し、最上部の前記導光板２の裏面の範囲Ｒ１７に光拡散処理を施すか又は光拡散層を形成することにより光拡散部を形成し、各導光板２に点灯表示部が形成される。
【００４６】
従って、この各導光板２を重ねた状態で配置した際に、各導光板２の前記点灯表示部は互いに重なることがないように且つ連続した状態に配置されることとなる。
【００４７】
そして、６枚の前記導光板２を重ね合わせた状態にして、保持部材としてのラップシート(ラップフィルム、食品用ラップ等を含む。)１５で重ね合わせた状態の６枚の前記導光板２の、少なくとも全ての前記光拡散部を包むようにして、これら６枚の前記導光板２を重ね合わせた状態で固定保持する。なお、前記ラップシート１５は、柔らかくて且つ変形する透明な薄いフィルム状のものであって、例えばポリ塩化ビニリデン製や、ポリエチレン製、ＰＥＴ（ポリエチレンテレフタート）製のもの等を使用する。
【００４８】
なお、前記ラップシート１５で６枚の前記導光板２の全ての前記光拡散部を包むようにして、図示しないが、第２の実施形態の前記支承部１７上に載置して支承してもよい。この場合、前記各導光板２の前記各光拡散部で各照明灯１１からの照明光を拡散して上方へ放出するが、前記導光板２を支承する前記支承部１７を照明光を反射する反射板で構成することにより、より多く上方へ放出することができる。また、前記支承部１７と最下部の前記導光板２との間に反射板を介在させてもよく、この場合も同様な効果が得られる。
【００４９】
このような構成にしても、前記制御装置が各照明灯１１を点灯・消灯を制御することにより、所望の照明パターンでの照明を行うことができる。この場合、点灯については、前記各光拡散部で各照明灯１１からの光を拡散することにより前記各導光板２の前記点灯表示部により行うことができる。
【００５０】
次に、自動車の照明装置１の第５の実施の形態について、この第５の実施の形態に係る前記照明装置１の平面図である図７に基づいて説明するが、前述した第４の実施形態と異なる構造についてのみ説明する。
【００５１】
先ず、この第５の実施形態においては、第４の実施形態と同様に、各照明灯１１に対応した前記導光板２は全て同じ長さのもので、前記照明灯１１は６個使用し、各照明灯１１に対応して前記導光板２も６枚使用して、重ね合わせる。そして、全ての前記導光板２の裏面の範囲Ｒ１２〜Ｒ１７を網羅するサイズの照明光を反射させるための反射板１６を最下部の前記導光板２の下に配置する。
【００５２】
そして、この各導光板２を重ねた状態で配置した際に、各導光板２の前記点灯表示部は互いに重なることがないように且つ連続した状態に配置され、且つ６枚の前記導光板２を重ね合わせた状態にして、保持部材としての前記ラップシート１５で重ね合わせた状態の６枚の前記導光板２の、少なくとも全ての前記光拡散部及び前記反射板１６を包むようにして、これら６枚の前記導光板２と前記反射板１６を重ね合わせた状態で固定保持する。
【００５３】
従って、各照明灯１１からの各導光板２に導入した照明光は、各光拡散部により拡散されて上方へ放出されるが、前記反射板１６により多く上方へ放出されることとなる。
【００５４】
この場合、記導光板２と前記反射板１６を重ね合わせた状態で固定保持し、図示しないが、第２の実施形態の前記支承部１７上に、載置するようにしてもよい。
【００５５】
以上の第５の実施形態によっても、前述した第４の実施形態と同様な所望の照明パターンでの照明を行うことができる。
【００５６】
以上のような実施形態によれば、前記点灯表示部の発光面を大きくすることができ、また大きくしても、導光板２は板状を呈して薄いので、コンパクト化が図れる自動車の照明装置を提供することができる。
【００５７】
なお、本発明に係る照明装置は、自動車の外装品や内装品の照明に使用され、例えば、外装品ではウインカー等、内装品ではエコペダルガイド、燃料計等の各種情報の表示や、各種の演出のための表示などに使用することができる。また、前述した全ての実施形態において、照明光を上方へ放出するようにしたが、前記導光板の配置（向き）を変更することにより、上方に限らず、下方、前方、後方など種々の方向へ放出することができる。
【００５８】
以上のように、本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００５９】
１                照明装置
２                導光板
２Ａ〜２Ｅ        導光板
２Ａ１〜２Ｅ１    裏面
２Ｔ              突出部
２ＴＴ            取付孔
３                保持部材
９                凹部（光拡散部）
１１              照明灯
１５              ラップシート
【図１】
2020155384.tif 000003
【図２】
2020155384.tif 000004
【図３】
2020155384.tif 000005
【図４】
2020155384.tif 000006
【図５】
2020155384.tif 000007
【図６】
2020155384.tif 000008
【図７】
2020155384.tif 000009